(57)【要約】      （修正有）【課題】在庫管理と組立取り付けに便利であり、現場での取り付け効率を高め、産業上の利用価値を有する、多重弛み防止ナットアセンブリの提供。【解決手段】ナット中央に軸方向に貫通するネジ孔が設けられ、ネジ孔の上端周囲に軸方向に沿って突出する上フランジが設けられ、内部に中心係止孔とその内周係止辺を具えた弛み防止スチール片がかしめ固定され、ネジ孔の底端に軸方向に沿って延伸された下フランジが設けられ、外部に上が細く下が太い円錐形の弛み防止ワッシャが嵌合されてかしめ固定され、ナットでボルトを締めつけ、更に弛み防止ワッシャがボルトの斜めのネジ山に緊密に係止されることで、多重の弛み防止の機能を達成する。【選択図】図１
0003102501.tif 000002
【実用新案登録請求の範囲】
【請求項１】
ナット中央に軸方向に貫通するネジ孔が設けられ、ネジ孔の上端周囲に軸方向に沿って突出する環状の上フランジが設けられ、内部に中心係止孔とその内周係止辺を具えた弛み防止スチール片がかしめ固定され、ネジ孔の底端に軸方向に沿って延伸された環状の下フランジが設けられ、外部に上が細く下が太い円錐形の弛み防止ワッシャが嵌合されてかしめ固定されたことを特徴とする、多重弛み防止ナットアセンブリ。
【請求項２】
請求項１記載の多重弛み防止ナットアセンブリにおいて、ナットの上フランジの上端がかしめられて内周折辺が形成されたことを特徴とする、多重弛み防止ナットアセンブリ。
【請求項３】
請求項１記載の多重弛み防止ナットアセンブリにおいて、ナットの下フランジの底端がかしめられて外周折辺が形成されたことを特徴とする、多重弛み防止ナットアセンブリ。
【請求項４】
請求項１記載の多重弛み防止ナットアセンブリにおいて、弛み防止ワッシャが自由回転状態とされたことを特徴とする、多重弛み防止ナットアセンブリ。
【考案の詳細な説明】
【技術分野】
【０００１】
本考案は一種の多重弛み防止ナットアセンブリに係り、特に、上端に弛み防止スチール片が、下端に弛み防止ワッシャがそれぞれ結合された弛み防止ナットアセンブリに関する。
【背景技術】
【０００２】
一般にボルトはネジ山を設けたシャンクを具え、ナットの中央にはボルトのネジ山に嵌合するネジ孔が設けられている。実際の螺子止め作業中、ボルトのシャフトは被固定物の貫通孔に挿通され、さらにナットのネジ孔がボルトのシャフトのネジ山に螺合され、ボルトとナットにより被固定物を挟持固定する。
【０００３】
しかし、被固定物が頻繁に振動する状況では、ボルトとナットが弛みやすいため、ボルトに螺合されたナットと被固定物の間にワッシャが取り付けられるが、徹底的にナットの振動による弛み現象を解決することはできない。且つこのナットとワッシャはいずれも独立形態とされ、このため在庫管理及び組立上の問題が形成され、並びに取り付け効率にも影響を与える。
【考案の開示】
【考案が解決しようとする課題】
【０００４】
本考案の主要な目的は、多重弛み防止ナットアセンブリを提供することにあり、それはナットに自身のネジ孔でボルトを締めつけるほか、弛み防止ワッシャによる押圧弾力と、弛み防止スチール片によるボルトのネジ山の斜径上の締めつけを加えることで、多重の弛み防止効果を達成するよう形成したものとする。且つこのナット、弛み防止ワッシャ、弛み防止スチール片の三者が一つに結合されて、在庫管理と組立取り付けに便利であり、現場での取り付け効率を高めることができるものとする。
【課題を解決するための手段】
【０００５】
請求項１の考案は、ナット中央に軸方向に貫通するネジ孔が設けられ、ネジ孔の上端周囲に軸方向に沿って突出する環状の上フランジが設けられ、内部に中心係止孔とその内周係止辺を具えた弛み防止スチール片がかしめ固定され、ネジ孔の底端に軸方向に沿って延伸された環状の下フランジが設けられ、外部に上が細く下が太い円錐形の弛み防止ワッシャが嵌合されてかしめ固定されたことを特徴とする、多重弛み防止ナットアセンブリとしている。
請求項２の考案は、請求項１記載の多重弛み防止ナットアセンブリにおいて、ナットの上フランジの上端がかしめられて内周折辺が形成されたことを特徴とする、多重弛み防止ナットアセンブリとしている。
請求項３の考案は、請求項１記載の多重弛み防止ナットアセンブリにおいて、ナットの下フランジの底端がかしめられて外周折辺が形成されたことを特徴とする、多重弛み防止ナットアセンブリとしている。
請求項４の考案は、請求項１記載の多重弛み防止ナットアセンブリにおいて、弛み防止ワッシャが自由回転状態とされたことを特徴とする、多重弛み防止ナットアセンブリとしている。
【考案の効果】
【０００６】
本考案のナットは一体に弛み防止スチール片と弛み防止ワッシャが結合された構造により、多重の弛み防止効果を達成し、並びに在庫管理と組立取り付けに便利であり、現場での取り付け効率を高め、産業上の利用価値を有する。
【考案を実施するための最良の形態】
【０００７】
本考案は、ナット中央に軸方向に貫通するネジ孔が設けられ、ネジ孔の上端周囲に軸方向に沿って突出する上フランジが設けられ、内部に中心係止孔とその内周係止辺を具えた弛み防止スチール片がかしめ固定され、ネジ孔の底端に軸方向に沿って延伸された下フランジが設けられ、外部に上が細く下が太い円錐形の弛み防止ワッシャが嵌合されてかしめ固定されてなる。
【０００８】
本考案は、ある実施例において、上記ナットの上フランジの上端がかしめられて内周折辺が形成され、下フランジの底端がかしめられて外周折辺が形成されている。
【実施例１】
【０００９】
図１に示されるように、本考案の弛み防止ナット１０は、中央に軸方向に上下に貫通するネジ孔１１を具え、並びにナット１０の外周は多角状に設けられるほか、その他の適合する形状に形成可能である。該ナット１０の主要な特徴は、上端に弛み防止スチール片２０と下端に弛み防止ワッシャ３０が設けられたことにある。並びにナット１０、弛み防止スチール片２０、弛み防止ワッシャ３０は結合されて一体とされ、在庫管理に便利であり、現場での取り付け効率を高めることができる。
【００１０】
ナット１０に弛み防止スチール片２０と弛み防止ワッシャ３０を組み付ける前に、図２に示されるように、ネジ孔１１の上端周囲に軸方向に沿って延伸された環状の上フランジ１２が設けられ、ネジ孔１１の底端周囲に軸方向に沿って延伸された環状の下フランジ１３が設けられる。ナット１０の上フランジ１２内には中心係止孔２１を具えた弛み防止スチール片２０が置かれ、並びに係止孔２１の内周に少なくとも二つの対向する係止辺２２が設けられている。ナット１０の上フランジ１２の上端は内向きにかしめられて内周折辺１４が形成され（図１、３参照）、一体に強固に弛み防止スチール片２０をかしめ固定する。
【００１１】
このほか、ナット１０の下フランジ１３の外部に弛み防止ワッシャ３０が嵌合され、この弛み防止ワッシャ３０は上が細く下が太い円錐形片体とされ、それは上端の中心孔３１、及び幅が広い底環辺３２を具えている。ナット１０の下フランジ１３の底端は外向きにかしめられて外周折辺１５が形成され（図３）、一体に強固に弛み防止ワッシャ３０をかしめ固定している。ある実施例では、弛み防止ワッシャ３０の中心孔３１は可動式にナット１０の下フランジ１３の外周に嵌合され、かしめ固定後に、弛み防止ワッシャ３０が回転自在な状態を形成するものとされる。
【００１２】
図４の初期螺子止め過程で、ボルト４０のネジ部４１が二つの被固定物５０、５１の対応する貫通孔５２に通され、その後、ナット１０がネジ孔１１でボルト４０のネジ部４１に螺合され、弛み防止ワッシャ３０の底環辺３２が被固定物５０の表面に接触させられる。
【００１３】
スパナで続けてナット１０が締めつけられる時、弛み防止ワッシャ３０が強力に押圧され、その底環辺３２が図５のように外向きに拡張する。これによりナット１０がネジ部４１を締めつけるほか、弛み防止ワッシャ３０の強大な押圧弾力、及び弛み防止スチール片２０の係止辺２２の変形とボルト４０の斜めのネジ山における緊密な係止により、確実に二つの被固定物５０、５１が固定結合され、多重の弛み防止効果が達成され、これによりナット１０が長期の振動状況下で、弛みを発生しない。
【図面の簡単な説明】
【００１４】
【図１】本考案の実施例のナットアセンブリの斜視図である。
【図２】本考案の実施例のナットアセンブリの組立前の分解斜視図である。
【図３】本考案の実施例のナットアセンブリの断面図である。
【図４】図３の実施例のナットアセンブリの初期螺子止め状態図である。
【図５】図４に続く螺子止め完成状態図である。
【符号の説明】
【００１５】
１０  ナット        １１  ネジ孔        １２  上フランジ
１３  下フランジ    １４  内周折辺      １５  外周折辺
２０  弛み防止スチール片                ２１  係止孔
２２  係止辺        ３０  弛み防止ワッシャ
３１  中心孔        ３２  底環辺
４０  ボルト        ４１  ネジ部
５０  被固定物      ５１  被固定物
５２  貫通孔
【図１】
0003102501.tif 000003
【図２】
0003102501.tif 000004
【図３】
0003102501.tif 000005
【図４】
0003102501.tif 000006
【図５】
0003102501.tif 000007